(57)【特許請求の範囲】
【請求項１】
防災端末と防災受信機とを有する防災システムのための試験システムであって、
前記防災端末は、発報信号を前記防災受信機に送信し、
前記防災受信機は、前記防災システムの試験を行う場合において、前記発報信号を受信した場合に、前記防災システムの試験に関する第１試験情報を出力し、
前記試験システムは、
前記第１試験情報が出力された場合に、前記第１試験情報に基づく第２試験情報を送信する送信手段と、
前記試験システムの前記送信手段が送信した前記第２試験情報を受信する受信手段と、
前記試験システムの前記受信手段が受信した前記第２試験情報に基づいて、前記防災システムの試験の結果を示す試験結果情報を出力する出力手段と、を備え、
前記防災受信機は、前記第１試験情報が表示される表示手段であって、前記第１試験情報が表示される複数の領域が設けられた表示手段を有し、
前記試験システムは、
前記防災受信機の前記表示手段に前記第１試験情報が表示された場合に、前記防災受信機の前記表示手段を撮影する撮影手段と、
前記複数の領域における、撮影するべき領域を指定する領域指定情報が入力される入力手段と、を備え、
前記試験システムの前記送信手段は、前記試験システムの前記撮影手段が撮影した画像を示す画像情報を、前記第２試験情報として送信し、
前記試験システムの前記撮影手段は、前記試験システムの前記入力手段に入力された前記領域指定情報が指定する領域に前記第１試験情報が表示された場合に、前記防災受信機の前記表示手段を撮影する、
試験システム。
【請求項２】
前記試験システムは、
前記試験システムの前記受信手段が受信した前記第２試験情報に基づいて、前記防災システムが正常であるか否かを判定する判定手段、を備え、
前記試験システムの前記出力手段は、前記試験システムの前記判定手段の判定結果を示す情報を、前記試験結果情報として出力する、
請求項１に記載の試験システム。
【請求項３】
前記試験システムの前記受信手段は、前記画像情報を受信し、
前記試験システムの前記出力手段は、前記試験システムの前記受信手段が受信した前記画像情報を、前記試験結果情報として出力する、
請求項１又は２に記載の試験システム。
【請求項４】
前記試験システムの前記撮影手段は、前記試験システムの前記入力手段に入力された前記領域指定情報が指定する領域以外の領域に前記第１試験情報が表示された場合に、前記防災受信機の前記表示手段を撮影する、
請求項１から３のいずれか一項に記載の試験システム。
【請求項５】
前記第２試験情報を再送することを要求するための再送要求が入力される要求入力手段、を備え、
前記試験システムの前記送信手段は、前記試験システムの前記要求入力手段に前記再送要求が入力された場合に、前記第２試験情報を再度送信する、
請求項１から４のいずれか一項に記載の試験システム。
【請求項６】
前記試験システムは、
前記防災システムの試験の案内をする案内手段、を備える、
請求項１から５のいずれか一項に記載の試験システム。
【請求項７】
前記試験システムは、
前記試験システムの前記送信手段を有する第１端末と、
前記試験システムの前記受信手段及び前記試験システムの前記出力手段を有しており、前記第１端末と通信を行う第２端末と、を備える、
請求項１から６のいずれか一項に記載の試験システム。
【発明の詳細な説明】
【技術分野】
【０００１】
本発明は、試験システムに関する。
【背景技術】
【０００２】
従来、防災のために用いられる防災システムが知られている。この防災システムは、異常を検出した場合に発報信号を出力する感知器と、当該感知器からの発報信号を受信して、異常発生を報知する受信機とを備えている。そして、この防災システムについては、正常に動作することを確認する動作試験が定期的に行われているが、当該動作試験では、火災信号を出力させる作業を感知器側で行う作業者と、動作試験の試験結果として受信機の状態を受信機側で確認する作業者と、を含む複数名の作業者を要するために、当該動作試験を行うために手間を要していた。
【０００３】
そこで、動作試験の手間を軽減するために、一名の作業者によって動作試験を行うことができる防災システムが提案されている（例えば、特許文献１）。この防災システムは、前述の感知器に加えて、動作試験のための通信手段を有する受信機を備えている。そして、この通信手段は、動作試験を行う場合に、作業者の携帯端末との間で無線通信を行うことにより、受信機が受信した異常信号を当該携帯端末に対して送信しており、作業者は、異常信号を出力するための作業を感知器側で行った後、当該感知器側において、携帯端末を用いて受信機の状態の確認を行っている。
【先行技術文献】
【特許文献】
【０００４】
【特許文献１】特開２００３-１０９１３７号公報
【発明の概要】
【発明が解決しようとする課題】
【０００５】
しかしながら、特許文献１の防災システムの携帯端末では、受信機から送信された異常信号を受信し、この受信した異常信号に基づいて、受信機の状態を確認できるようにしているので、この異常信号を用いて伝達することができない受信機の状態（例えば、受信機の表示灯の表示状態等）を、当該携帯端末を用いて確認するのが困難となる可能性があった。この場合、受信機の状態を確認するために、感知器側から受信機側に移動する必要があるので、防災システムにおける動作試験を行うための手間が増大する虞があった。
【０００６】
本発明は上記問題に鑑みてなされたもので、防災システムの試験を行う作業効率を向上させることができる、試験システムを提供することを目的とする。
【課題を解決するための手段】
【０００７】
上述した課題を解決し、目的を達成するために、請求項１に記載の試験システムは、防災端末と防災受信機とを有する防災システムのための試験システムであって、前記防災端末は、発報信号を前記防災受信機に送信し、前記防災受信機は、前記防災システムの試験を行う場合において、前記発報信号を受信した場合に、前記防災システムの試験に関する第１試験情報を出力し、前記試験システムは、前記第１試験情報が出力された場合に、前記第１試験情報に基づく第２試験情報を送信する送信手段と、前記試験システムの前記送信手段が送信した前記第２試験情報を受信する受信手段と、前記試験システムの前記受信手段が受信した前記第２試験情報に基づいて、前記防災システムの試験の結果を示す試験結果情報を出力する出力手段と、を備え、前記防災受信機は、前記第１試験情報が表示される表示手段であって、前記第１試験情報が表示される複数の領域が設けられた表示手段を有し、前記試験システムは、前記防災受信機の前記表示手段に前記第１試験情報が表示された場合に、前記防災受信機の前記表示手段を撮影する撮影手段と、前記複数の領域における、撮影するべき領域を指定する領域指定情報が入力される入力手段と、を備え、前記試験システムの前記送信手段は、前記試験システムの前記撮影手段が撮影した画像を示す画像情報を、前記第２試験情報として送信し、前記試験システムの前記撮影手段は、前記試験システムの前記入力手段に入力された前記領域指定情報が指定する領域に前記第１試験情報が表示された場合に、前記防災受信機の前記表示手段を撮影する。
【０００８】
また、請求項２に記載の試験システムは、請求項１に記載の試験システムにおいて、前記試験システムは、前記試験システムの前記受信手段が受信した前記第２試験情報に基づいて、前記防災システムが正常であるか否かを判定する判定手段を備え、前記試験システムの前記出力手段は、前記試験システムの前記判定手段の判定結果を示す情報を、前記試験結果情報として出力する。
【００１０】
また、請求項３に記載の試験システムは、請求項１又は２に記載の試験システムにおいて、前記試験システムの前記受信手段は、前記画像情報を受信し、前記試験システムの前記出力手段は、前記試験システムの前記受信手段が受信した前記画像情報を、前記試験結果情報として出力する。
【００１２】
また、請求項４に記載の試験システムは、請求項１から３のいずれか一項に記載の試験システムにおいて、前記試験システムの前記撮影手段は、前記試験システムの前記入力手段に入力された前記領域指定情報が指定する領域以外の領域に前記第１試験情報が表示された場合に、前記防災受信機の前記表示手段を撮影する。
【００１３】
また、請求項５に記載の試験システムは、請求項１から４のいずれか一項に記載の試験システムにおいて、前記第２試験情報を再送することを要求するための再送要求が入力される要求入力手段を備え、前記試験システムの前記送信手段は、前記試験システムの前記要求入力手段に前記再送要求が入力された場合に、前記第２試験情報を再度送信する。
【００１４】
また、請求項６に記載の試験システムは、請求項１から５のいずれか一項に記載の試験システムにおいて、前記試験システムは、前記防災システムの試験の案内をする案内手段を備える。
【００１５】
また、請求項７に記載の試験システムは、請求項１から６のいずれか一項に記載の試験システムにおいて、前記試験システムは、前記試験システムの前記送信手段を有する第１端末と、前記試験システムの前記受信手段及び前記試験システムの前記出力手段を有しており、前記第１端末と通信を行う第２端末とを備える。
【発明の効果】
【００１６】
請求項１に記載の試験システムによれば、防災受信機から出力された第１試験情報に応じた第２試験情報に基づいて、試験結果情報を出力することができるので、発報信号を出力する作業と試験結果を確認する作業とを、一人の作業者が行うことができ、防災システムの試験を行う作業効率を向上させることができる。また、防災受信機の表示灯の表示状態を示す情報を、第２試験情報として送信した場合、防災受信機の表示灯の表示状態についての試験結果情報を出力することができるので、防災受信機側に移動せずに、当該防災受信機の表示灯の表示状態を確認すことができ、前述のように作業効率を向上させることができる。
また、防災受信機の表示手段に第１試験情報が表示されたことをトリガとして、撮影及び撮影した画像を示す画像情報の送信を行うので、通信を常時行う必要性が無くなり、防災システムの試験のための通信量を低減させることができる。
また、撮影するためのトリガとしての領域を指定することができるので、防災システムの試験内容に応じて適切な撮影を行うことができ、防災システムの試験の試験精度を向上させることができる。
【００１７】
請求項２に記載の試験システムによれば、防災システムが正常であるか否かの判定結果を示す情報を、試験結果情報として出力するので、当該判定を作業者が行うのが不要となり、判定についての人為的過誤を防止し、防災システムの試験の試験精度を向上させることができる。
【００１９】
請求項３に記載の試験システムによれば、防災受信機における表示手段の画像を示す画像情報を、試験結果情報として出力するので、防災受信機側に移動せずに、防災受信機の表示手段の表示状態を確認することができ、防災システムの試験を行う作業効率を向上させることができる。
【００２１】
請求項４に記載の試験システムによれば、領域指定情報が指定する領域以外の領域に第１試験情報が表示された場合においても撮影することができるので、領域指定情報が指定する領域に第１試験情報が表示されたか否かに関わらず、防災受信機の表示手段の表示状態を確認することができ、防災を行いつつ防災システムの試験を確実に行うことができる。従って、例えば、入力手段に入力された領域指定情報が誤っている場合においても、防災受信機の表示手段の表示状態を確認することができ、この場合において、防災システムの試験を行うことができる。また、例えば、防災システムの試験を行っている最中に、防災システムが監視する監視領域において異常が発生したことにより、防災端末が発報信号を送信した場合においても、防災受信機の表示手段の表示状態を確認することができ、防災を行いつつ防災システムの試験を行うことができる。
【００２２】
請求項５に記載の試験システムによれば、再送要求が入力された場合に、第２試験情報を再度送信することができるので、防災システムの試験の結果を示す試験結果情報を確実に出力することができ、防災システムの試験の結果を確実に確認することができる。従って、例えば、第２試験情報に関する情報処理の誤り、又は、当該第２試験情報の通信不具合等により、一時的に第２試験情報を送信することが出来なかった場合においても、第２試験情報を再度送信することにより、試験結果情報を確実に出力することができる。
【００２３】
請求項６に記載の試験システムによれば、防災システムの試験の案内をするので、当該案内に沿って、効率的に防災システムの試験を行うことができ、防災システムの試験を行う作業効率を向上させることができる。
【００２４】
請求項７に記載の試験システムによれば、第１端末と第２端末とを備えているので、防災受信機側と防災端末側とが離れている場合においても、これらの端末を用いて通信することができ、防災システムの試験を確実に行うことができる。
【図面の簡単な説明】
【００２５】
【図１】本発明の実施の形態に係る防災システム及び試験システムを示すブロック図である。
【図２】受信機と支持アームの斜視図である。
【図３】回線特定情報を示す図である。
【図４】防災端末特定情報を示す図である。
【図５】試験システムの処理のフローチャートである。
【図６】案内画面の第１の表示例である。
【図７】案内画面の第２の表示例である。
【図８】案内画面の第３の表示例である。
【発明を実施するための形態】
【００２６】
以下に、本発明に係る試験システムの実施の形態を図面に基づいて詳細に説明する。なお、この実施の形態によりこの発明が限定されるものではない。
【００２７】
〔実施の形態の基本的概念〕
まずは、実施の形態の基本的概念について説明する。実施の形態は、概略的に、第１試験情報が出力された場合に、第１試験情報に基づく第２試験情報を送信し、送信した第２試験情報に基づいて、防災システムの試験の結果を示す試験結果情報を出力する試験システムに関するものである。
【００２８】
ここで、「監視領域」は、防災システムによる監視対象となっている領域であり、例えば、建築物の部屋、廊下、階段等を含む概念である。
【００２９】
また、以下の実施の形態においては、本発明を防災受信機としてのＰ型の受信機、及び防災端末として感知器に適用した例を示すが、発報信号を出力した感知器を個別に特定することが可能な防災受信機としてのＲ型の受信機に対しても、感知器以外の防災端末（例えば、発信機等）に対しても適用することができる。
【００３０】
（構成）
最初に、本実施の形態に係る防災システム及び試験システムの構成について説明する。図１は、本実施の形態に係る防災システム及び試験システムを示すブロック図である。
【００３１】
（構成‐防災システム）
まず、防災システム１００は、災害を防止するためのシステムであり、建築物に設けられている。この防災システム１００は、感知器１１〜１５、及び受信機２を備えており、感知器１１〜１５、及び受信機２は、回線３１、３２を介して通信できるように接続されている。具体的には、感知器１１〜１３と受信機２とは、回線３１を介して接続されており、感知器１４、１５と受信機２とは、回線３２を介して接続されている。
【００３２】
なお、防災システム１００には、建築物の規模に応じて、感知器１１〜１５以外の感知器、及び回線３１、３２以外の回線も設けられることになるが、ここでは、感知器１１〜１５、回線３１、３２を用いて、以下説明する。また、感知器１１〜１５を区別する必要がない場合には、単に「感知器１」と総称し、回線３１、３２を区別する必要がない場合には、単に「回線３」と総称することとする。
【００３３】
（構成‐防災システム‐感知器）
感知器１は、監視領域における異常の発生を検出する防災検出手段である。具体的には、この感知器１は、火災やガス漏れ等の異常の発生を検出した場合に発報信号を、自己が接続されている回線３を介して出力する防災端末であり、例えば、煙感知器、ガス感知器、又は熱感知器等であって、所定の法令に定められている設置基準を満たすように、監視領域内の天井や壁に取り付けられている。なお、ここでは、感知器１１〜感知器１５が各々、建築物の２階第１実験室、２階研究室、２階第２実験室、１階研究室、１階第１実験室に設けられていることとして、以下説明する。
【００３４】
（構成‐防災システム‐受信機）
受信機２は、各種信号を受信して、受信した信号に応じた処理を行う防災受信手段である。具体的には、この受信機２は、感知器１が設けられている位置から離れている管理室に設置されており、操作部２１、表示部２２、音響部２３、記憶部２４、及び制御部２５を備える。
【００３５】
操作部２１は、受信機２に対する各種の操作を行うための操作手段である。ここで、図２は、受信機と支持アームの斜視図である。この操作部２１は、具体的には、図２に示すように、切替ボタン２１１等を備えて構成されている。
【００３６】
切替ボタン２１１は、受信機２の運転モードを、通常監視モード又は試験モードの何れかに切り替えるためのボタンである。ここで、「通常監視モード」とは、監視領域での異常の発生を監視するための受信機２の運転モードであり、受信機２の運転モードがこの通常監視モードに切り替えられている場合、防災システム１００の動作試験（以下、単に「動作試験」）は行われない。なお、「動作試験」とは、防災システム１００が正常に動作するか否かを確認する点検の試験である。また、「試験モード」とは、動作試験を行うための受信機２の運転モードであり、動作試験を行う場合、受信機２の運転モードをこの試験モードに切り替える必要がある。
【００３７】
図１に戻って、表示部２２は、防災に関する各種情報を表示するための表示手段であり、具体的には、各種情報を表示する表示灯又はディスプレイ等を備えて構成されている。更に具体的には、図２に示すように、表示灯２２１ａ及び表示灯２２１ｂを含む複数の表示灯２２１（複数の領域）を備えて構成されている。この表示灯２２１各々について具体的には、受信機２に接続されている回線に対応付けられており、対応付けられている回線に接続されている感知器の状態（例えば、発報信号を出力したか否か）を表示するものである。ここでは、表示灯２２１ａが回線３１に対応付けられており、表示灯２２１ｂが回線３２に対応付けられていることとして、以下説明する。
【００３８】
図１に戻って、音響部２３は、防災に関する各種警報音を出力するための音響手段であり、具体的には、図２に示すように、各種警報音を出力するスピーカ２３１等を備えて構成されている。
【００３９】
受信機２に設けた記憶部２４は、受信機２の動作に必要なプログラム及び各種デ−タが記憶されている記憶手段である。
【００４０】
図１の受信機２に設けた制御部２５は、受信機２に関する各種の制御を行う制御手段であり、具体的には、ＣＰＵ、当該ＣＰＵ上で解釈実行される各種のプログラム（ＯＳなどの基本制御プログラムや、ＯＳ上で起動され特定機能を実現するアプリケ−ションプログラムを含む）、及びプログラムや各種のデ−タを格納するためのＲＡＭの如き内部メモリを備えて構成されるコンピュ−タである。特に、実施の形態に係るプログラムは、任意の記録媒体又はネットワ−クを介して制御部２５にインストールされることで、制御部２５の各部を実質的に構成する（後述する受信機側端末４の制御部４４、及び作業者側端末５の制御部５６も同様とする）。
【００４１】
この制御部２５は、機能概念的に、監視部２５１及び試験部２５２を有する。
【００４２】
この監視部２５１は、受信機２の運転モードが通常監視モードに切り替えられている場合に、監視領域での異常の発生を監視するための処理を行う監視手段である。なお、監視部２５１によって行われる処理としては、公知の処理が行われることとする。
【００４３】
また、試験部２５２は、受信機２の運転モードが試験モードに切り替えられている場合に、動作試験のための処理を行う試験手段である。なお、試験部２５２により行われる処理については、後述する。
【００４４】
（構成‐試験システム）
次に、試験システム４００は、動作試験を行うためのシステムであり、受信機側端末４、及び作業者側端末５を備える。
【００４５】
（構成‐試験システム‐受信機側端末）
受信機側端末４は、受信機２側で用いられる第１端末であり、受信機２の表示部２２を撮影できるように管理室に設けられており、例えば、図２に示すように、支持アーム２００を用いて設置されている。
【００４６】
ここで、支持アーム２００は、受信機側端末４を支持する支持手段であり、具体的には、受信機側端末４が受信機２の表示部２２を撮影できるよう当該受信機側端末４を設置するためのアームであり、例えば、受信機２の正面上部における隅に着脱自在に取り付けられるアームである。なお、支持アーム２００の受信機２への取り付け手法については、任意であり、例えば、受信機２が金属製である場合には、支持アーム２００における受信機２側の端部に磁性体を設けて、当該磁性体の磁力を利用して取り付けられることとしてもよいし、受信機２が金属製であるか否かに関わらず、受信機２及び支持アーム２００に、互いに係合する係合部を設けて、当該係合部を利用して取り付けられることとしてもよい。
【００４７】
図１に戻って、受信機側端末４について具体的には、動作試験を行う作業者による携帯が可能な携帯端末であり、例えば、携帯電話機又はパーソナルコンピュータ等を含む汎用的に用いられる装置、又は、受信機２のための専用装置等によって構成されている（後述する作業者側端末５も同様とする）。そして、この受信機側端末４は、撮影部４１、通信部４２、記憶部４３及び制御部４４を備える。
【００４８】
撮影部４１は、受信機２の表示部２２を撮影するための撮影手段であり、具体的には、カメラレンズ、及びイメージセンサ等を備えて構成されている。そして、この撮影部４１は、後述する撮影制御部４４１での判定のために、撮影を行わない場合においても、備えられているイメージセンサによる光電変換に基づいて、撮影対象物の画像を常時取得するように構成されている。
【００４９】
受信機側端末４に設けた通信部４２は、後述する作業者側端末５との間で無線通信を行うための通信手段であり、特に、撮影部４１が撮影した画像を示す画像情報を送信する送信手段である。そして、この通信部４２は、具体的には、無線通信回路等を備えて構成されている（後述する作業者側端末５の通信部５１も同様とする）。
【００５０】
受信機側端末４に設けた記憶部４３は、受信機側端末４の動作に必要なプログラム及び各種デ−タが記憶されている記憶手段である。
【００５１】
受信機側端末４に設けた制御部４４は、受信機側端末４に関する各種の制御を行う制御手段であり、機能概念的に、撮影制御部４４１を有する。この撮影制御部４４１は、撮影部４１を制御する撮影制御手段である。なお、撮影制御部４４１により行われる処理については、後述する。
【００５２】
（構成‐試験システム‐作業者側端末）
作業者側端末５は、監視領域側において用いられる第２端末であり、通信部５１、タッチパネル５２、ディスプレイ５３、位置検出部５４、記憶部５５、及び制御部５６を備える。
【００５３】
作業者側端末５に設けた通信部５１は、受信機側端末４との間で無線通信を行うための通信手段であり、特に、受信機側端末４から送信された画像情報を受信する受信手段である。
【００５４】
タッチパネル５２は、作業者の指等で押圧されることにより、当該作業者から各種操作入力を受け付ける入力手段である。このタッチパネル５２は、透明又は半透明状に形成され、ディスプレイ５３の前面において当該ディスプレイ５３の表示面と重畳するように設けられている。このタッチパネル５２としては、例えば、抵抗膜方式や静電容量方式等による操作位置検出手段を備えた公知のタッチパネルを用いることができる。
【００５５】
ディスプレイ５３は、後述する表示制御部５６１の制御に基づいて各種の画像を表示出力する出力手段であり、具体的には、公知の液晶ディスプレイや有機ＥＬディスプレイの如きフラットパネルディスプレイ等を用いることができる。
【００５６】
位置検出部５４は、作業者側端末５の現在位置を検出する現在位置検出手段であり、具体的には、ＧＰＳ又は地磁気センサ（いずれも図示省略）を備えて構成されており、現在の作業者側端末５の位置（座標）及び方位等を公知の方法にて検出する。
【００５７】
作業者側端末５に設けた記憶部５５は、作業者側端末５の動作に必要なプログラム及び各種デ−タが記憶されている記憶手段であり、具体的には、画面情報、地図情報、回線特定情報、防災端末特定情報、及び表示部特定情報等が記憶されている。
【００５８】
ここで、「画面情報」とは、ディスプレイ５３に表示する画面を生成するための情報であり、具体的には、画面自体、画面のサイズ、画面中に表示する情報（例えば、図２の受信機２の表示部２２の画像等）等を含む情報である。
【００５９】
また、「地図情報」とは、建築物を示す図面に関する情報であり、具体的には、防災システム１００が設けられている建築物の平面図を生成するための情報であり、例えば、平面図を生成するための公知のデータ（例えば、柱、壁等の所定の部材の位置、大きさ、形状等のデータ）を用いることができる。
【００６０】
また、図３は、回線特定情報を示す図である。この「回線特定情報」とは、受信機２の回線に関する情報を特定する情報であり、具体的には、項目「回線」、及び「防災端末識別情報」と、各項目に対応する情報とを、相互に関連付けて構成されている。ここで、項目「回線」に対応する情報は、受信機２に接続されている回線を特定する情報（図３の「回線３１」等）である。項目「防災端末識別情報」に対応する情報は、項目「回線」が特定する回線に接続されている防災端末を一意に識別するための識別情報（以下、端末ＩＤ）を特定する情報（図３の「感知器ＩＤ１１」等）である。なお、図３の感知器ＩＤ１１〜感知器ＩＤ１５は各々、感知器１１〜１５の端末ＩＤに対応している。
【００６１】
また、図４は、防災端末特定情報を示す図である。この「防災端末特定情報」とは、図１の防災システム１００に含まれている防災端末を特定する情報であり、具体的には、項目「防災端末識別情報」、項目「種別」、項目「形状」、項目「設置位置」、及び項目「試験機能」と、各項目に対応する情報とを、相互に関連付けて構成されている。
【００６２】
ここで、項目「防災端末識別情報」に対応する情報（図４の「感知器ＩＤ１１」等）は、図３の項目「防災端末識別情報」に対応する情報と同様である。項目「種別」に対応する情報（図４の「熱」、「煙」）は、対応する防災端末の種別を特定する情報（以下、種別情報）であり、具体的には、「熱」は熱感知器を特定しており、「煙」は煙感知器を特定している。また、項目「形状」に対応する情報（図４の「外形画像情報Ｄ１」等）は、対応する防災端末の外観形状を特定する情報（以下、形状情報）であり、具体的には、外観形状の画像情報を特定している。また、項目「設置位置」に対応する情報（図４の「２階第１実験室」等）は、対応する防災端末が設置されている位置を特定する情報（以下、設置位置情報）である。また、項目「試験機能」に対応する情報（図４の「自動」、「非自動」等）は、対応する防災端末が自動試験機能を有しているか否かを特定する情報（以下、試験機能情報）であり、具体的には、「自動」は自動試験機能を有していることを特定しており、「非自動」は自動試験機能を有していないことを特定している。ここで、「自動試験機能」とは、感知器が所定時間毎に自己診断の処理を行う機能であり、例えば、この自動試験機能を有している感知器に対しては、動作試験を行う必要がないことが、所定の法令により定められている。
【００６３】
また、「表示部特定情報」とは、図２の受信機２の表示部２２に関する情報を特定する情報であり、具体的には、表示部２２に備えられている複数の表示灯２２１各々が対応付けられている回線を示す情報（以下、対応回線情報）と、複数の表示灯２２１各々の位置を示す情報（以下、表示灯位置情報）とが含まれている。そして、対応回線情報については、例えば、表示灯２２１ａが回線３１に対応付けられており、表示灯２２１ｂが回線３２に対応付けられていること等が特定されている。また、表示灯位置情報については、例えば、複数の表示灯２２１各々の相対位置が特定されており、具体的には、表示灯２２１ａが複数の表示灯２２１のうちの最上部且つ最左側に設けられていること、表示灯２２１ｂが複数の表示灯２２１のうちの最上部の直下且つ最左側に設けられていること等が特定されている。
【００６４】
図１に戻って、作業者側端末５に設けた制御部５６は、作業者側端末５に関する各種の制御を行う制御手段であり、機能概念的に、表示制御部５６１及び試験判定部５６２を有する。そして、表示制御部５６１は、ディスプレイ５３に画像を表示するための制御を行う表示制御手段であり、特に、動作試験の案内のための画像を表示するための制御を行う案内手段である。また、試験判定部５６２は、動作試験に関する判定を行う判定手段である。なお、これら制御部５６の各部により行われる処理については、後述する。
【００６５】
（処理）
次に、このように構成された試験システム４００によって行われる試験処理について説明する。なお、「試験処理」とは、動作試験を行うための処理であり、試験システム４００の電源スイッチをオンした場合に起動する。ここでは、図２に示すように、受信機側端末４が受信機２の表示部２２を撮影できるように、支持アーム２００を用いて受信機側端末４を設置した後、切替ボタン２１１を操作することにより、受信機２の運転モードを試験モードに切り替えた場合について説明する。
【００６６】
図５は、試験システムの処理のフローチャートである（以下の各処理の説明ではステップを「Ｓ」と略記する）。また、図６〜図８は、案内画面の表示例である。
【００６７】
まず、図５のＳＢ１において受信機側端末４の制御部４４は、画像情報を送信する。具体的には、図１の撮影部４１を用いて、受信機２の表示部２２を撮影し、当該撮影した画像を示す画像情報を、通信部４２を介して作業者側端末５に送信する。一方、作業者側端末５は、当該送信された画像情報を受信して記憶部５５に記憶する。
【００６８】
図５に戻って、ＳＡ１において作業者側端末５の表示制御部５６１は、記憶部５５に記憶されている画面情報（つまり、ＳＢ１において送信された画像情報）に基づいて、図６の案内画面６ａを生成し、生成した案内画面６ａのディスプレイ５３に表示する。ここで、「案内画面」６ａとは、動作試験を案内するための画面であり、具体的には、受信機表示部画像６１を含んでいる画面である。「受信機表示部画像」６１とは、図２の受信機２の表示部２２の画像であり、具体的には、図６に示すように、図２の複数の表示灯２１１各々に対応する表示灯画像を含んでいる画像である。この受信機表示部画像６１の表示灯について具体的には、表示灯画像６１ａ、６１ｂ各々は、図２の表示灯２１１ａ、２１１ｂに対応している画像である
【００６９】
図５に戻って、次に、ＳＡ２において作業者側端末５の制御部５６は、後述の回線指定情報が入力されたか否かを監視する。具体的には、図１のタッチパネル５２を介して回線指定情報が入力されたか否かを監視する。そして、回線指定情報が入力された場合（ＳＡ２のＹＥＳ）、ＳＡ３に移行する。また、回線指定情報が入力されなかった場合（ＳＡ２のＮＯ）、再度、ＳＡ２に移行する。
【００７０】
ここで、「回線指定情報」とは、試験対象の回線を指定する情報であり、具体的には、図１の回線３１又は回線３２を指定する情報であって、後述するように、受信機２の表示灯２２１の撮影するべき表示灯を指定する領域指定情報でもあり、例えば、タッチパネル５２を操作することにより入力される情報である。なお、この回線指定情報を入力するための操作については任意であるが、例えば、図６の受信機表示部画像６１における各表示灯画像を、作業者が押圧することにより、押圧した画像に対応する回線を指定する回線指定情報が入力されることとしてもよい。そして、この場合、表示灯画像６１ａを押圧した場合、この押圧した表示灯画像６１ａに対応する図２の表示灯２２１ａが対応付けられている回線３１を指定する回線指定情報が入力され、表示灯画像６１ｂを押圧した場合、この押圧した表示灯画像６１ｂに対応する図２の表示灯２２１ｂが対応付けられている回線３２を指定する回線指定情報が入力される。
【００７１】
図５に戻って、次に、ＳＡ３において作業者側端末５の制御部５６は、ＳＡ２で入力された回線指定情報を送信する。具体的には、回線指定情報を、通信部５１を介して受信機側端末４に送信する。
【００７２】
次に、ＳＡ４において作業者側端末５の表示制御部５６１は、記憶部５５に記憶されている地図情報、回線特定情報、及び防災端末特定情報等に基づいて、図６の案内画面６ａを図７の案内画面６ｂに更新し、更新した案内画面６ｂをディスプレイ５３に表示する。具体的には、図７に示すように、地図画像７とチェックリスト８を生成し、生成したこれらの情報を表示することにより更新する。
【００７３】
ここで、「地図画像」７とは、建築物の平面図に対応する画像であり、具体的には、図５のＳＡ２で入力された回線指定情報が指定する回線に接続されている感知器（以下、指定感知器）が設けられている部分の平面図に対応する画像であって、例えば、平面図自体及び感知器シンボル、及び自位置シンボル９４を含む画像である。そして、「感知器シンボル」とは、防災システム１００に含まれている感知器のうちの、指定感知器に対応するシンボルである。例えば、ＳＡ２の回線指定情報が回線３１を指定するものである場合、図１の感知器１１〜１３に対応する感知器シンボル９１〜９３が表示されることになる。また、「自位置シンボル」９４とは、作業者側端末５の位置を示すシンボルであり、具体的には、位置検出部５４の検出結果に対応する位置に表示されるシンボルである。
【００７４】
そして、地図画像７の生成について具体的には、表示制御部５６１は、図３の回線特定情報の中から、ＳＡ２で入力された回線指定情報が指定する回線に対応する端末ＩＤを、指定感知器の端末ＩＤとして特定し、図４の防災端末特定情報の中から、前述の特定した指定感知器の端末ＩＤに対応する設置位置情報を取得し、この後、これら特定した端末ＩＤ及び取得した設置位置情報と、地図情報、位置検出部５４の検出結果に基づいて、地図画像７を生成する。
【００７５】
例えば、図５のＳＡ２で入力された回線指定情報が回線３１を指定するものである場合、図３の「感知器ＩＤ１１」、「感知器ＩＤ１２」、「感知器ＩＤ１３」を、指定感知器の端末ＩＤとして特定し、図４の「２階第１実験室」、「２階研究室」、「２階第２実験室」を設置位置情報として取得する。この後、取得した設置位置特定情報に対応する平面図の生成及び表示を地図情報に基づいて行い、前述の特定した端末ＩＤ（例えば、「感知器ＩＤ１１」）に対応する感知器シンボル（例えば、「感知器シンボル９１」）を、対応する位置（例えば、「２階第１実験室」に対応する図７の領域７１）に表示し、位置検出部５４の検出結果に対応する位置に自位置シンボル９４を表示することにより、地図画像７を生成する。そして、このような地図画像７の構成により、作業者は、自己及び感知器の位置を確認することが可能となる。
【００７６】
また、図７の「チェックリスト」８とは、動作試験の進捗又は当該動作試験を行うことの要否等の確認を行うための情報であって、具体的には、試験対象感知器の設置位置を示す情報（図７の「２階第１実験室」等のテキスト）と、当該情報に対応するチェックボックス８１〜８３が含まれている情報である。
【００７７】
そして、チェックリスト８の生成について具体的には、「地図画像７の生成」と同様にして、指定感知器の端末ＩＤを特定した後、図４の防災端末特定情報の中から、前述の特定した端末ＩＤに対応する設置位置情報及び試験機能情報を取得し、この後、これら特定した端末ＩＤ、取得した設置位置情報、及び取得した試験機能情報に基づいて、チェックリスト８を生成する。
【００７８】
例えば、図５のＳＡ２で入力された回線指定情報が回線３１を指定するものである場合、「地図画像７の生成」と同様にして、図３の「感知器ＩＤ１１」、「感知器ＩＤ１２」、「感知器ＩＤ１３」を、指定感知器の端末ＩＤとして特定した後、図４の「２階第１実験室」、「２階研究室」、「２階第２実験室」を設置位置情報とて取得し、また、図４の「非自動」、「自動」、「非自動」を試験機能情報として取得する。この後、取得した設置位置情報に対応するテキスト（「２階第１実験室」、「２階研究室」、「２階第２実験室」）及びこれらに対応するチェックボックス８１〜８３を表示する。次に、試験機能情報＝自動に対応する感知器については動作試験を行う必要がないので、動作試験を行う必要がないことを示すために、この試験機能情報＝自動に対応する設置位置情報（ここでは、「２階研究室」）に対応するテキストの表示状態を他テキストとは異なる表示状態（例えば、網掛け、グレースケール等）にすることにより、チェックリスト８を生成する。そして、このようなチェックリスト８の構成により、作業者は、動作試験の要否等を判断することが可能となる。
【００７９】
図５に戻って、次に、ＳＡ５において作業者側端末５の制御部５６は、後述の機器指定情報が入力されたか否かを監視する。具体的には、図１のタッチパネル５２を介して機器指定情報が入力されたか否かを監視する。そして、機器指定情報が入力された場合（ＳＡ５のＹＥＳ）、ＳＡ６に移行する。また、機器指定情報が入力されなかった場合（ＳＡ５のＮＯ）、再度、ＳＡ５に移行する。
【００８０】
ここで、「機器指定情報」とは、発報信号を出力させる対象の防災端末（以下、試験対象感知器）を指定する情報であり、具体的には、指定感知器のうちの一の感知器を指定する情報であって、例えば、タッチパネル５２を操作することにより入力される情報である。なお、この機器指定情報を入力するための操作については任意であるが、例えば、図７の地図画像７における感知器シンボルを、作業者が押圧すことにより、押圧した画像に対応する感知器を指定する機器指定情報が入力されることとしてもよい。そして、この場合、例えば、感知器シンボル９１を押圧した場合、この押圧した感知器シンボル９１に対応する図１の感知器１１を指定する機器指定情報が入力される。
【００８１】
図５に戻って、次に、ＳＡ６において作業者側端末５の表示制御部５６１は、記憶部５５に記憶されている防災端末特定情報等に基づいて、機器情報をディスプレイ５３に表示する。ここで、「機器情報」とは、試験対象感知器に関する情報であり、具体的には、種別情報及び形状情報等を含む情報である。ＳＡ６について具体的には、表示制御部５６１は、図４の防災端末特定情報の中から、ＳＡ５で入力された機器情報が指定する感知器に対応する種別情報及び形状情報を、試験対象感知器の種別情報及び形状情報として取得し、取得したこれらの情報を表示する。例えば、ＳＡ５で入力された機器指定情報が感知器１１を指定するものである場合、図４の「煙」及び「外形画像情報Ｄ１」を、試験対象感知器の種別情報及び形状情報として取得し、取得したこれらの情報を表示する。そして、このように種別情報及び形状情報を表示することにより、作業者は、動作試験の内容を把握して、当該動作試験で用いる試験器具等を把握することが可能となる。
【００８２】
図５に戻って、一方、ＳＢ２において受信機側端末４の制御部４４は、回線指定情報を受信したか否かを監視する。具体的には、通信部４２を介して作業者側端末５から回線指定情報を受信したか否かを監視する。そして、回線指定情報を受信した場合（ＳＢ２のＹＥＳ）、ＳＢ３に移行する。また、回線指定情報を受信しなかった場合（ＳＢ２のＮＯ）、再度、ＳＢ２に移行する。
【００８３】
次に、ＳＢ３において受信機側端末４の撮影制御部４４１は、図２の受信機２の表示部２２を撮影するか否かを判定する。具体的には、まず、表示部２２における表示灯２２１のうちの、図５のＳＢ２で受信した回線指定情報が指定する回線に対応する表示灯を、図１の記憶部５５に記憶されている表示部特定情報の対応回線情報を参照することにより特定し、図２の複数の表示灯２２１のうちの、この特定した表示灯の位置を表示部特定情報の表示灯位置情報を参照することにより特定する。この後、撮影部４１を介して入力される表示部２２の画像について複数の表示灯２２１を認識する所定の画像認識を行うことにより、当該画像における前述の特定した表示灯の位置に対応する部分の表示状態（以下、対応部分の表示状態）が変化したか否かを、判定する。そして、対応部分の表示状態が変化した場合、撮影すると判定し（ＳＢ３のＹＥＳ）、ＳＢ４に移行する。また、対応部分の表示状態が変化しない場合、撮影しないと判定し（ＳＢ３のＮＯ）、再度、ＳＡ２に移行する。なお、所定の画像認識処理としては、公知の画像認識処理を用いることができる。
【００８４】
このＳＢ３の判定について例えば、回線３１を指定する回線指定情報をＳＢ２で受信した場合、「表示灯２２１ａ」を特定し、この特定した表示灯２２１ａの位置として「表示灯２２１のうちの最上部且つ最左側」を特定し、この後、所定の画像認識処理を行うことにより、対応部分の表示状態が変化したか否かを、判定する。
【００８５】
ここで、表示灯の状態については、図１の受信機２の試験部２５２は、運転モードが試験モードに切り替えられた場合に、図２の表示灯２２１を全て消灯する。この後、発報信号を受信しない場合は、試験部２５２は、表示灯２２１の全てを消灯したままの状態にする（つまり、表示灯２２１の状態を変化させない）。一方、発報信号を受信した場合、試験部２５２は、発報信号を受信した回線に対応する表示灯を点灯させる（つまり、表示灯２２１の状態を変化させる）ことにより、発報信号を受信したことを示す情報（第１試験情報）を出力した後、所定時間経過後に、点灯させた当該表示灯を消灯する。
【００８６】
図５に戻って、例えば、ＳＢ２で受信した回線指定情報が指定する回線が回線３１である場合において、図２の表示灯２２１ａの表示状態が変化した場合（例えば、消灯した状態から点灯した状態になった場合）、撮影すると判定し、また、表示灯２２１ａの表示状態が変化しない（例えば、消灯したままの状態である）場合、撮影しないと判定する。
【００８７】
図５に戻って、次に、ＳＢ４において受信機側端末４の撮影制御部４４１は、撮影部４１を用いて、受信機２の表示部２２を撮影する。
【００８８】
図５に戻って、次に、ＳＢ５において受信機側端末４の制御部４４は、ＳＢ４で撮影した画像を示す画像情報（第２試験情報）を送信する。具体的には、画像情報を、通信部４２を介して作業者側端末５に送信する。
【００８９】
一方、ＳＡ７において作業者側端末５の試験判定部５６２は、防災システム１００が正常であるか否かを判定する。具体的な判定手法については任意であるが、以下に示す判定手法を用いて判定を行ってもよい。判定手法について具体的には、ＳＡ５で機器指定情報が入力されてから所定時間（例えば、数分）以内に画像情報を受信し、且つ、受信した画像情報においてＳＡ２で入力された回線指定情報に対応する表示灯のみが点灯している場合、防災システム１００が正常であると判定する。一方、ＳＡ５で機器指定情報が入力されてから所定時間以内に画像情報を受信しなかった場合、又は、受信した画像情報においてＳＡ２で入力された回線指定情報に対応する表示灯以外の表示灯も点灯している場合、防災システム１００が正常でないと判定する。
【００９０】
次に、ＳＡ８において作業者側端末５の表示制御部５６１は、試験対象感知器の動作試験の結果を示す試験結果情報の記憶等を行う。具体的には、ＳＡ７の判定結果を示す情報、又は、受信機側端末４が受信した画像情報等を、試験結果情報として記憶部５５に記憶したり、動作試験が終了したことを、図８の案内画面６ｃに表示したりする。この表示について具体的には、動作試験が終了した防災端末に対応する情報（例えば、図８の「２階第１実験室」とチェックボックス８１）の表示状態を変化させる（例えば、網掛け、グレースケール、チェックボックスに印を付す等）。そして、このように表示状態を変化させることにより、作業者は、動作試験を終了した防災端末を把握することができるので、同じ端末から複数回発報信号を出力させる等の、作業ミスが発生するのを防止することができる。
【００９１】
図５に戻って、次に、ＳＡ９において作業者側端末５の制御部５６は、指定感知器の動作試験を終了するか否かを判定する。具体的には、指定感知器のうちの、図４の試験機能情報が「非自動」となっている感知器全てについて動作試験が行われたか否かを判定する。そして、指定感知器のうちの、試験機能情報が「非自動」となっている感知器全てについて動作試験が行われた場合、指定感知器の動作試験を終了すると判定し（ＳＡ９のＹＥＳ）、ＳＡ１０に移行する。また、指定感知器のうちの、試験機能情報が「非自動」となっている感知器全てについて動作試験が行われわけではない場合、指定感知器の動作試験を終了しないと判定し（ＳＡ９のＮＯ）、ＳＡ５に移行する。
【００９２】
図５に戻って、次に、ＳＡ１０において作業者側端末５の制御部５６は、動作試験自体を終了するか否かを判定する。具体的には、図１のタッチパネル５２を介して入力される情報に基づいて判定する。そして、作業者からの終了命令が所定時間以内に入力された場合、動作試験自体を終了すると判定し（ＳＡ１０のＹＥＳ）、ＳＡ１１に移行する。また、作業者からの終了命令が所定時間以内に入力されない場合、動作試験自体を終了しないと判定し（ＳＡ１０のＮＯ）、ＳＡ１に移行する。
【００９３】
次に、ＳＡ１１において作業者側端末５の制御部５６は、ＳＡ８で記憶された試験結果情報に基づいて、動作試験の結果を示す情報を含む点検票を生成し、生成した点検票を出力する。具体的には、ＳＡ８で記憶された判定結果を示す情報を、回線毎に集計して、この集計結果を含む点検票を生成し、生成した点検票をディスプレイ５３に表示して出力したり、プリンター等に送信して出力したりする。なお、この点検票には、前述の集計結果以外に、ＳＡ８で記憶された画像情報、又は作業者による手入力に基づくその他の必要な情報も含まれていることとしてもよい。そして、点検票を自動的に生成することが可能となるので、点検票を手作業にて作成する必要がなくなり、当該点検票を迅速且つ正確に出力することが可能となる。
【００９４】
（動作試験の試験例）
次に、図１の試験システム４００を用いて行われる動作試験の試験例について、回線３１を指定する回線指定情報が入力された後に、感知器１１を指定する機器指定情報が入力される場合の例を説明する。
【００９５】
まず、図１の受信機２の運転モードを試験モードに切り替えた上で、図２に示すように、支持アーム２００を用いて受信機側端末４を設置する。そして、試験システム４００の電源スイッチをオンした場合に、図６の案内画面６ａが作業者側端末５に表示され、この後、作業者が表示灯画像６１ａを押圧した場合、図７の案内画面６ｂが表示されると共に、回線３１を指定する回線指定情報が作業者側端末５から受信機側端末４に送信される。
【００９６】
次に、作業者が、図７の感知器シンボル９１を押圧した場合、図１の感知器１１の種別情報（図４の「煙」が特定する情報）及び形状情報（図４の「外形画像情報Ｄ１」）が表示される。この場合、作業者は、煙感知器用の試験器具を用いる必要があることと等を確認した上で、図７の案内画面６ｂを参考にしつつ感知器１１の位置に移動し、この後、感知器１１に対して発報信号を出力させるための作業を行う。
【００９７】
次に、図２の受信機２の表示灯２２１ａが点灯した場合、図１の受信機側端末４は、撮影を行った後、画像情報を作業者側端末５に送信し、この後、作業者側端末４は、防災システム１００が正常であるか否かを判定し、判定結果等を試験結果情報として記憶した上で、図８の案内画面６ｃを表示した後、必要に応じて上述の処理と同様な処理を繰り返し行い、点検票を出力した後、動作試験を終了する。
【００９８】
（実施の形態の効果）
このように本実施の形態によれば、図１の受信機２の表示部２２の表示状態に応じた画像情報に基づいて、試験結果情報を出力することができるので、発報信号を出力する作業と試験結果を確認する作業とを、一人の作業者が行うことができ、動作試験を行う作業効率を向上させることができる。また、図２の受信機２の表示灯２２１の表示状態を示す画像情報を送信した場合、受信機２の表示灯２２１の表示状態についての試験結果情報を出力することができるので、受信機２側に移動せずに、当該受信機２の表示灯２２１の表示状態を確認すことができ、前述のように作業効率を向上させることができる。
【００９９】
また、防災システム１００が正常であるか否かの判定結果を示す情報を、試験結果情報として出力するので、当該判定を作業者が行うのが不要となり、判定についての人為的過誤を防止し、動作試験の試験精度を向上させることができる。
【０１００】
また、受信機２の表示灯２２１が点灯したことをトリガとして、撮影及び撮影した画像を示す画像情報の送信を行うので、通信を常時行う必要性が無くなり、動作試験のための通信量を低減させることができる。
【０１０１】
また、受信機２における表示部２２の画像を示す画像情報を、試験結果情報として出力するので、受信機２側に移動せずに、受信機２の表示部２２の表示状態を確認することができ、動作試験を行う作業効率を向上させることができる。
【０１０２】
また、撮影するためのトリガとしての表示灯を指定することができるので、動作試験の内容に応じて適切な撮影を行うことができ、動作試験の試験精度を向上させることができる。
【０１０３】
また、動作試験の案内をするので、当該案内に沿って効率的に動作試験を行うことができ、動作試験を行う作業効率を向上させることができる。
【０１０４】
また、受信機側端末４と作業者側端末５とを備えているので、受信機４と感知器１とが離れている場合においても、これらの受信機側端末４及び作業者側端末５を用いて通信することができ、動作試験を確実に行うことができる。
【０１０５】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【０１０６】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏したりすることがある。
【０１０７】
（分散や統合について）
また、上述した構成は機能概念的なものであり、必ずしも物理的に図示の如く構成されていることを要しない。すなわち、各部の分散や統合の具体的形態は図示のものに限られず、その全部または一部を、任意の単位で機能的または物理的に分散又は統合して構成できる。例えば、図１の作業者側端末５の試験判定部５６２が、受信機側端末４に設けられていることとし、防災システム１００が正常であるか否かの判定を受信機側端末４側で行い、判定結果を作業者側端末５に送信することとしてもよい。
【０１０８】
（警報音による動作試験について）
また、上記実施の形態では、図１の受信機２の表示部２２の表示状態に基づいて、動作試験を行う場合について説明したが、他の状態に基づいて動作試験を行うこととしてもよい。例えば、受信機２の音響部２３から出力される警報音に基づいて、動作試験を行うこととしてもよい。この場合について具体的には、受信機２の試験部２５２は、発報信号を受信した場合に、警報音を出力することにより、発報信号を受信したことを示す情報（第１試験情報）を出力し、発報信号を受信しない場合に、警報音を出力しないように受信機２を制御し、また、受信機側端末４に、マイク等の集音手段が設けられていることとする。そして、受信機側端末４の制御部４４は、集音手段を介して警報音を検出した場合に、警報音を検出したことを示す情報（第２試験情報）を、作業者側端末５に送信し、作業者側端末５の制御部５６は、前述の送信された情報に基づいて、防災システム１００が正常であるか否かの判定を行い、この判定結果に基づいて所定の処理を行った後、点検票を出力することとする。また、この場合について、受信機２が発報信号を受信した回線毎に、異なる音階又は音量の警報音が出力されることとし、指定する音階又は音量の警報音を検出した場合に、受信機側端末４が警報音を検出したことを示す情報を送信することとしてもよい。
【０１０９】
また、この変形例と上記実施の形態とを組み合わせて、集音手段を介して警報音を検出した場合に、受信機側端末４が、受信機２の表示部２２を撮影して画像情報を送信したり、受信機２の表示部２２の表示状態が変化し、且つ、集音手段を介して警報音を検出した場合に、撮影及び画像情報の送信を行うようにしたりしてもよい。
【０１１０】
（画像情報の送信について）
また、上記実施の形態では、図１の受信機２の表示部２２の表示状態が変化した場合に、画像情報の送信を行うことについて説明したが、他の情報を送信することとしてもよい。例えば、受信機２の表示部２２の表示状態が変化した場合に、表示状態が変化したことを示すメッセージ（第２試験情報）を、作業者側端末５に送信することとしてもよい。この場合、作業者側端末５は、この送信されたメッセージに基づいて、防災システム１００が正常であるか否かの判定を行い、この判定結果に基づいて所定の処理を行った後、点検票を出力することとする。
【０１１１】
（機器指定情報について）
また、上記実施の形態では、図１のタッチパネル５２の操作入力により、図５のＳＡ５で機器指定情報が作業者側端末５に入力される場合について説明したが、他の手法により機器指定情報が入力されることとしてもよい。例えば、作業者側端末５に試験開始ボタンが設けられており、この試験開始ボタンを押下した場合に、位置検出部５４が検出した位置の周辺に設けられている感知器を指定する機器指定情報が入力されることとしてもよい。
【０１１２】
（案内画面について）
また、上記実施の形態において、図５のＳＡ８で、動作試験の終了を表示するために、動作試験が終了した試験対象感知器に対応する感知器シンボルの表示状態を、変更することとしてもよい。また、指定感知器全ての動作試験が終了していない場合において、例えば所定のマニュアル操作を行って動作試験を終了した場合、図８の案内画面６ｃ上に所定の警告メッセージを表示することとしてもよい。
【０１１３】
（受信機表示部画像について）
また、上記実施の形態において、図６の案内画面６ａの受信機表示部画像６１として、動作試験を開始する前に、受信機側端末４を用いて撮影した受信機２の表示部２２の画像を用いてもよい。
【０１１４】
（通信について）
また、上記実施の形態では、図１の受信機側端末４と作業者側端末５との間で無線通信を行う場合について説明したが、他の通信手法で通信を行うこととしてもよい。例えば、受信機側端末４と作業者側端末５とが所定の通信線で接続されており、当該所定の通信線を用いて、これらの端末同士が有線通信を行うこととしてもよい。
【０１１５】
（作業者側端末の機能について）
また、上記実施の形態において、図１の作業者側端末５に対して、計時機能、経路表示機能、及び経路記憶機能が設けられていることとしてもよい。
【０１１６】
まず、「計時機能」とは、図１の感知器１が異常を検出した時から、図２の受信機２の表示灯２２１が点灯する時までの時間に対応する時間（以下、蓄積時間）を計測するための機能であり、具体的には、作業者側端末５に計時開始ボタンが設けられていることとし、この計時開始ボタンを操作した時から、図５のＳＢ５で送信させる画像情報を作業者側端末５が受信した時までの時間を計測し、計測結果を試験結果情報として出力する機能である。そして、この計時機能を用いることにより、発報信号を出力する作業を行う場合に、計時開始ボタンを操作することにより、蓄積時間を計時することが可能となる。なお、前述の計時開始ボタンについては、作業者が発報信号を出力させるために用いる試験器具に設けられていることとしてもよい。
【０１１７】
また、「経路表示機能」とは、動作試験を行うのに最適な経路に関する情報を表示する機能であり、具体的には、試験時間が最短となるようにするための、試験対象感知器の指定順序、及び作業者が進むべき経路を表示する機能である。指定順序及び経路について具体的には、作業者側端末５の現在位置からの移動距離が最短となるような指定順序、及び経路を表示することとしてもよい。そして、この経路表示機能を用いることにより、作業者の移動の無駄を取り除くことができるので、動作試験の作業効率を向上させることができる。
【０１１８】
また、「経路記憶機能」とは、動作試験を行うのに最適な経路に関する情報を記憶する機能であり、具体的には、前述の経路表示機能を用いて表示した経路を記憶したり、マニュアル入力された経路を記憶したりする機能である。そして、この経路記憶機能を用いることにより、記憶された経路を読み出して、以前と同じ経路にて動作試験を行うことが可能となる。
【０１１９】
（機器指定情報について）
また、上記実施の形態では、図５のＳＡ５において図４の「試験機能」＝「自動」の感知器を指定する機器指定情報が入力されない場合について説明したが、作業者による操作入力次第では（例えば、図７の感知器シンボル９２を押圧した場合）、「試験機能」＝「自動」の感知器を指定する機器情報も入力されることになる。また、図５のＳＡ５において、「試験機能」＝「自動」の感知器を指定する機器情報が入力された場合、所定の警告メッセージ（例えば、「自動試験機能を有している感知器ですが、動作試験を行いますか？」等）が表示されることとしてもよい。
【０１２０】
（撮影について）
また、上記実施の形態では、図５のＳＢ３において、図２の表示部２２における表示灯２２１のうちの、図５のＳＢ２で受信した回線指定情報が指定する回線に対応する表示灯の表示状態が変化した場合に撮影すると判定し、当該回線指定情報が指定する回線に対応する表示灯の表示状態が変化しない場合に撮影しないと判定する場合について説明したが、これに限られない。例えば、図５のＳＢ２で受信した回線指定情報が指定する回線に関わらず、図２の表示部２２における表示灯２２１のうちの少なくとも何れか一つの表示灯の表示状態が変化した場合に撮影すると判定し、表示部２２における表示灯２２１のうちの何れの表示灯の表示状態も変化しない場合（つまり、表示状態が変化した表示灯が無い場合）に撮影しないと判定するようにしてもよい。このように構成した場合、図５のＳＢ２で受信した回線指定情報が誤っている場合（つまり、感知器１１から発報信号を出力させる場合において、図１の回線３２が指定されている場合等）においても、図２の表示部２２の表示状態を確認することができる。また、回線指定情報が図１の回線３１を指定する場合において、他の回線（つまり、回線３２）に接続されている感知器（つまり、感知器１４、１５）が監視領域における異常の発生を実際に検出し発報信号を出力した場合においても、表示部２２の表示状態を確認することができ、動作試験の最中においても異常の発生を認識することができる。また、複数名（例えば、２名）の作業者各々が、図１の作業者側端末５を用いて、複数の回線（例えば、回線３１、３２）に接続されている感知器について動作試験を行う場合においても、複数名の作業者各々が、図２の表示部２２の表示状態を確認することができる。
【０１２１】
また、撮影するか否かの判定について、この変形例に記載されている構成と、実施の形態に記載されている構成と、を撮影モードによって切り替えられるようにしてもよい。ここで、「撮影モード」とは、図２の受信機２の表示部２２を撮影するトリガについてのモードであり、具体的には、回線指定情報対応モード、及び回線指定情報非対応モードを含んでいるモードである。「回線指定情報対応モード」は、回線指定情報に従って撮影するモードであり、「回線指定情報非対応モード」は、回線指定情報に関わらず撮影するモードである。これらの各モードは、図１の作業者側端末５のタッチパネル５２を介して入力されて、受信機側端末４に送信されて設定される。そして、回線指定情報対応モードが設定された場合、図５のＳＢ３において、実施の形態中に記載されているように、回線指定情報が指定する回線に対応する表示灯の表示状態が変化した場合に撮影すると判定し、当該回線指定情報が指定する回線に対応する表示灯の表示状態が変化しない場合に撮影しないと判定する。また、回線指定情報非対応モードが設定された場合、変形例に記載されているように、図２の表示部２２における表示灯２２１のうちの少なくとも何れか一つの表示灯の表示状態が変化した場合に撮影すると判定し、表示部２２における表示灯２２１のうちの何れの表示灯の表示状態も変化しない場合（つまり、表示状態が変化した表示灯が無い場合）に撮影しないと判定する。
【０１２２】
（試験結果情報の表示について）
また、上記実施の形態における図５のＳＡ８において、試験結果情報を記憶すると共に表示するようにしてもよい。具体的には、動作試験が終了した防災端末についての、ＳＡ７の判定結果（具体的には、防災システム１００が正常であるか否かの判定の判定結果）を、試験結果情報として表示する。この判定結果の表示手法は任意であるが、例えば、図８の「２階第１実験室」とチェックボックス８１の近傍（例えば、チェックボックス８１の左側等）に、正常である場合には「○」印を付し、正常でない場合には「×」印を付すようにしてもよい。
【０１２３】
（再送要求について）
また、上記実施の形態における図５のＳＡ８において、変形例の「（試験結果情報の表示について）」に記載されているように試験結果情報を表示した後に、再送要求を行えるようにしてもよい。ここで「再送要求」とは、画像情報を再送することの要求であり、具体的には、図１の作業者側端末５のタッチパネル５２を介して入力されて、当該作業者側端末５から受信機側端末４に送信される要求である。そして、この再送要求を受信した受信機側端末５は、図５のＳＢ５のようにして、画像情報を再度送信する。なお、この画像情報を再度送信する場合、再度の撮影を行った上で画像情報を再度送信するようにしてもよいし、再度の撮影を行わずに前回の画像情報を再度送信するようにしてもよい。このように構成した場合、例えば、画像情報に関する情報処理の誤り、又は、当該画像情報の通信不具合等により、一時的に画像情報を送信することが出来なかった場合においても、画像情報を再度送信することにより、試験結果情報を確実に出力することができる。
【０１２４】
（付記）
付記１の試験システムは、防災端末と防災受信機とを有する防災システムのための試験システムであって、前記防災端末は、発報信号を前記防災受信機に送信し、前記防災受信機は、前記防災システムの試験を行う場合において、前記発報信号を受信した場合に、前記防災システムの試験に関する第１試験情報を出力し、前記試験システムは、前記第１試験情報が出力された場合に、前記第１試験情報に基づく第２試験情報を送信する送信手段と、前記試験システムの前記送信手段が送信した前記第２試験情報を受信する受信手段と、前記試験システムの前記受信手段が受信した前記第２試験情報に基づいて、前記防災システムの試験の結果を示す試験結果情報を出力する出力手段と、を備える。
【０１２５】
また、付記２の試験システムは、付記１に記載の試験システムにおいて、前記試験システムは、前記試験システムの前記受信手段が受信した前記第２試験情報に基づいて、前記防災システムが正常であるか否かを判定する判定手段を備え、前記試験システムの前記出力手段は、前記試験システムの前記判定手段の判定結果を示す情報を、前記試験結果情報として出力する。
【０１２６】
また、付記３の試験システムは、付記１又は２に記載の試験システムにおいて、前記防災受信機は、前記第１試験情報が表示される表示手段を有し、前記試験システムは、前記防災受信機の前記表示手段に前記第１試験情報が表示された場合に、前記防災受信機の前記表示手段を撮影する撮影手段を備え、前記試験システムの前記送信手段は、前記試験システムの前記撮影手段が撮影した画像を示す画像情報を、前記第２試験情報として送信する。
【０１２７】
また、付記４の試験システムは、付記３に記載の試験システムにおいて、前記試験システムの前記受信手段は、前記画像情報を受信し、前記試験システムの前記出力手段は、前記試験システムの前記受信手段が受信した前記画像情報を、前記試験結果情報として出力する。
【０１２８】
また、付記５の試験システムは、付記３又は４に記載の試験システムにおいて、前記防災受信機の表示手段には、前記第１試験情報が表示される複数の領域が設けられており、前記試験システムは、前記複数の領域における、撮影するべき領域を指定する領域指定情報が入力される入力手段、を備え、前記試験システムの前記撮影手段は、前記試験システムの前記入力手段に入力された前記領域指定情報が指定する領域に前記第１試験情報が表示された場合に、前記防災受信機の前記表示手段を撮影する。
【０１２９】
また、付記６の試験システムは、付記５に記載の試験システムにおいて、前記試験システムの前記撮影手段は、前記試験システムの前記入力手段に入力された前記領域指定情報が指定する領域以外の領域に前記第１試験情報が表示された場合に、前記防災受信機の前記表示手段を撮影する。
【０１３０】
また、付記７の試験システムは、付記１から６いずれか一項に記載の試験システムにおいて、前記第２試験情報を再送することを要求するための再送要求が入力される要求入力手段、を備え、前記試験システムの前記送信手段は、前記試験システムの前記要求入力手段に前記再送要求が入力された場合に、前記第２試験情報を再度送信する。
【０１３１】
また、付記８の試験システムは、付記１から７いずれか一項に記載の試験システムにおいて、前記試験システムは、前記防災システムの試験の案内をする案内手段、を備える。
【０１３２】
また、付記９の試験システムは、付記１から８いずれか一項に記載の試験システムにおいて、前記試験システムは、前記試験システムの前記送信手段を有する第１端末と、前記試験システムの前記受信手段及び前記試験システムの前記出力手段を有しており、前記第１端末と通信を行う第２端末と、を備える。
【０１３３】
（付記の効果）
付記１に記載の試験システムによれば、防災受信機から出力された第１試験情報に応じた第２試験情報に基づいて、試験結果情報を出力することができるので、発報信号を出力する作業と試験結果を確認する作業とを、一人の作業者が行うことができ、防災システムの試験を行う作業効率を向上させることができる。また、防災受信機の表示灯の表示状態を示す情報を、第２試験情報として送信した場合、防災受信機の表示灯の表示状態についての試験結果情報を出力することができるので、防災受信機側に移動せずに、当該防災受信機の表示灯の表示状態を確認すことができ、前述のように作業効率を向上させることができる。
【０１３４】
付記２に記載の試験システムによれば、防災システムが正常であるか否かの判定結果を示す情報を、試験結果情報として出力するので、当該判定を作業者が行うのが不要となり、判定についての人為的過誤を防止し、防災システムの試験の試験精度を向上させることができる。
【０１３５】
付記３に記載の試験システムによれば、防災受信機の表示手段に第１試験情報が表示されたことをトリガとして、撮影及び撮影した画像を示す画像情報の送信を行うので、通信を常時行う必要性が無くなり、防災システムの試験のための通信量を低減させることができる。
【０１３６】
付記４に記載の試験システムによれば、防災受信機における表示手段の画像を示す画像情報を、試験結果情報として出力するので、防災受信機側に移動せずに、防災受信機の表示手段の表示状態を確認することができ、防災システムの試験を行う作業効率を向上させることができる。
【０１３７】
付記５に記載の試験システムによれば、撮影するためのトリガとしての領域を指定することができるので、防災システムの試験内容に応じて適切な撮影を行うことができ、防災システムの試験の試験精度を向上させることができる。
【０１３８】
付記６に記載の試験システムによれば、領域指定情報が指定する領域以外の領域に第１試験情報が表示された場合においても撮影することができるので、領域指定情報が指定する領域に第１試験情報が表示されたか否かに関わらず、防災受信機の表示手段の表示状態を確認することができ、防災を行いつつ防災システムの試験を確実に行うことができる。従って、例えば、入力手段に入力された領域指定情報が誤っている場合においても、防災受信機の表示手段の表示状態を確認することができ、この場合において、防災システムの試験を行うことができる。また、例えば、防災システムの試験を行っている最中に、防災システムが監視する監視領域において異常が発生したことにより、防災端末が発報信号を送信した場合においても、防災受信機の表示手段の表示状態を確認することができ、防災を行いつつ防災システムの試験を行うことができる。
【０１３９】
付記７に記載の試験システムによれば、再送要求が入力された場合に、第２試験情報を再度送信することができるので、防災システムの試験の結果を示す試験結果情報を確実に出力することができ、防災システムの試験の結果を確実に確認することができる。従って、例えば、第２試験情報に関する情報処理の誤り、又は、当該第２試験情報の通信不具合等により、一時的に第２試験情報を送信することが出来なかった場合においても、第２試験情報を再度送信することにより、試験結果情報を確実に出力することができる。
【０１４０】
付記８に記載の試験システムによれば、防災システムの試験の案内をするので、当該案内に沿って、効率的に防災システムの試験を行うことができ、防災システムの試験を行う作業効率を向上させることができる。
【０１４１】
付記９に記載の試験システムによれば、第１端末と第２端末とを備えているので、防災受信機側と防災端末側とが離れている場合においても、これらの端末を用いて通信することができ、防災システムの試験を確実に行うことができる。
【符号の説明】
【０１４２】
１、１１、１２、１３、１４、１５  感知器
２  受信機
３、３１、３２  回線
４  受信機側端末
５  作業者側端末
６ａ、６ｂ、６ｃ  案内画面
７  地図画像
８  チェックリスト
２１  操作部
２２  表示部
２３  音響部
２４、４３、５５  記憶部
２５、４４、５６  制御部
４１  撮影部
４２、５１  通信部
５２  タッチパネル
５３  ディスプレイ
５４  位置検出部
６１  受信機表示部画像
６１ａ、６１ｂ  表示灯画像
７１  領域
８１、８２、８３  チェックボックス
９１、９２、９３  感知器シンボル
９４  自位置シンボル
１００  防災システム
２００  支持アーム
２１１  切替ボタン
２２１、２２１ａ、２２１ｂ  表示灯
２３１  スピーカ
２５１  監視部
２５２  試験部
４００  試験システム
４４１  撮影制御部
５６１  表示制御部
５６２  試験判定部
【図１】
0006510294.tif 000002
【図２】
0006510294.tif 000003
【図３】
0006510294.tif 000004
【図４】
0006510294.tif 000005
【図５】
0006510294.tif 000006
【図６】
0006510294.tif 000007
【図７】
0006510294.tif 000008
【図８】
0006510294.tif 000009